(57)【要約】【課題】  実際のスイング等の腰を下げ、上体を前傾させて捻転運動をする状態で、しかも各自の異なる姿勢に対応して、上体捻転運動のトレーニングを可能とする。【解決手段】  基部から使用者の背に沿って立ち上がる軸部に、可変向継手、伸縮継手を設け、軸部の上部を使用者の前傾姿勢に沿って傾斜可能、使用者の身長あるいは姿勢の上下動に応じて昇降可能とする。軸部の上端部に、使用者の肩幅方向に沿って延びるバーを設け、これを使用者が両手で持つことにより、使用者の捻転運動によって軸部を回転させる。軸部とバーの接続部分にバー回転軸を設け、使用者が一方の肩を上昇させ、他方を下降させる運動を可能とする。基部に、軸部の回転に対して負荷を与える負荷装置を設ける。【選択図】  図１
2007075509.tif 000002
【特許請求の範囲】
【請求項１】
使用者が乗ることのできる基部と、
この基部から使用者の背に沿って立ち上がる軸部と、
前記基部と前記軸部との間に介在され、軸部を軸回りに回転可能とする軸受け部と、
前記軸部の途中に設けられ、回転を伝達すると共に、軸部の上部を使用者の前傾姿勢に沿って傾斜可能とする可変向継手と、
前記軸部の途中に設けられ、回転を伝達すると共に、軸部の上端部を使用者の身長あるいは姿勢の上下動に応じて昇降可能とする伸縮継手と、
前記軸部の上端部に接続され、使用者の肩幅方向に沿って延び、使用者の両肩に結合され、あるいは使用者が両手で持つことにより、使用者の捻転運動によって軸部を回転させるバーと、
前記軸部と前記バーの接続部分に設けられ、使用者が一方の肩を上昇させ、他方を下降させる運動を可能とするバー回転軸と、
前記基部に設けられ、前記軸部の回転に対して負荷を与える負荷装置
を有する上体捻転運動のトレーニング装置。
【請求項２】
請求項１において、
負荷装置が、流体の粘性抵抗を利用していることを特徴とする上体捻転運動のトレーニング装置。
【請求項３】
請求項２において、
負荷装置が、軸部の回転によって駆動される流体シリンダと、この流体シリンダのピストンの両側からそれぞれ流体を導くパイプと、これらのパイプを接続し、かつ開閉調節して負荷の大きさを加減する弁を有する上体捻転運動のトレーニング装置。
【発明の詳細な説明】
【技術分野】
【０００１】
本発明は、ゴルフのスイング、野球のバッティング、テニスのショット等に使う身体上体の捻転運動に係る筋肉を強化するために使用される上体捻転運動のトレーニング装置に関する。
【背景技術】
【０００２】
従来より知られているこの種の上体捻転運動のトレーニング装置は、装置が有する回転軸に合せて使用者が捻転運動を行うものである（特許文献１，２参照）。実際のゴルフのスイング等の運動では、腰を下げ、上体を前傾させて捻転運動をするものであって、しかも各自がそれぞれ異なる姿勢で捻転運動を行うものである。したがって、従来の装置では、実際の運動とは異なる姿勢でトレーニングを行うことになり、実戦的とはいえないものである。
【０００３】
【特許文献１】特開２００３−１９０３２２号公報
【特許文献２】特開平１１−２０６９１５号公報
【発明の開示】
【発明が解決しようとする課題】
【０００４】
そこで、本発明は、より実戦的となるよう、実際のスイング等の腰を下げ、上体を前傾させて捻転運動をする状態で、しかも各自の異なる姿勢に対応して、上体捻転運動のトレーニングを可能とすることを目的としている。
【課題を解決するための手段】
【０００５】
本発明は、使用者が乗ることのできる基部と、この基部から使用者の背に沿って立ち上がる軸部と、前記基部と前記軸部との間に介在され、軸部を軸回りに回転可能とする軸受け部と、前記軸部の途中に設けられ、回転を伝達すると共に、軸部の上部を使用者の前傾姿勢に沿って傾斜可能とする可変向継手と、前記軸部の途中に設けられ、回転を伝達すると共に、軸部の上端部を使用者の身長あるいは姿勢の上下動に応じて昇降可能とする伸縮継手と、前記軸部の上端部に接続され、使用者の肩幅方向に沿って延び、使用者の両肩に結合され、あるいは使用者が両手で持つことにより、使用者の捻転運動によって軸部を回転させるバーと、前記軸部と前記バーの接続部分に設けられ、使用者が一方の肩を上昇させ、他方を下降させる運動を可能とするバー回転軸と、前記基部に設けられ、前記軸部の回転に対して負荷を与える負荷装置を有する上体捻転運動のトレーニング装置である。  
【０００６】
この負荷装置の構成は任意であり、ばねを用いたもの、分銅の重力を用いたもの等が使用可能であるが、流体の粘性抵抗を利用したものが適当である。
【０００７】
すなわち、負荷装置は、軸部の回転によって駆動される流体シリンダと、この流体シリンダのピストンの両側からそれぞれ流体を導くパイプと、これらのパイプを接続し、かつ開閉調節して負荷の大きさを加減する弁を有するものが望ましい。
【発明の効果】
【０００８】
本発明の上体捻転運動のトレーニング装置は、使用者の両肩と共に捻転させられるバーが、軸部の可変向継手、伸縮継手により、前後左右上下に移動可能であり、しかもバー回転軸により両肩の傾斜にも対応可能であるので、使用者は装置に合わせるのではなく、自己の自然な姿勢で、腰を下げ、前傾姿勢となって上体捻転運動を行いながら筋力強化を図ることができる。
【０００９】
さらに、負荷装置として流体の粘性抵抗を利用したものを用いると、負荷が捻転角度によらず均一となり、しかも自在に調節することができるので、効果的なトレーニングが可能となる。
【発明を実施するための最良の形態】
【００１０】
以下に、本発明を実施例について詳しく説明する。
【実施例】
【００１１】
図１，２に本発明の実施例の上体捻転運動のトレーニング装置１０を示す。
【００１２】
このトレーニング装置１０において、基部１１は、扁平な箱状であって、その上に使用者１２が乗ることができる。軸部１３は、基部１１の後部近くから立ち上がる。基部１１と軸部１３の間には軸受け部１４が設けられ、このため軸部１３はその軸周りに回転することができる。軸部１３の下端近くには、ユニバーサルジョイントよりなる可変向継手１５が設けられ、このため軸部の上部は前後左右に自由に傾斜することができ、かつ軸部上部の回転は下部に伝達される。軸部１３の可変向継手１５の上部にはスプライン機構を用いた伸縮継手１６が設けられ、このため軸部の上部は伸縮して自由に上下動することができ、かつ軸部上部の回転は下部に伝達される。
【００１３】
バー１７はほぼ水平に延びる棒よりなり、軸部１３の上端部に接続され、使用者１２の肩幅方向に沿って延び、使用者が両手で持つことができ、使用者の捻転運動によって軸部１３を回転させることができる。なお、図示していないが、バーの両端に締めベルト等を取付け、使用者が手で持つことなく両肩に取付けることがきるようにしても良い。軸部１３とバー１７の接続部分には、バー回転軸１８がその軸心をほぼ前後方向に伸びるようにして設けられ、このため使用者１２が一方の肩を上昇させ、他方を下降させる運動が可能となっている。
【００１４】
負荷装置１９が基部１１の内部に設けられている。この負荷装置１９は軸部１３の回転に対して負荷を与えるものであって、主として、流体シリンダ２０、パイプ２１，２２及び弁２３よりなる。流体シリンダ２０は、内部に油等の流体を有し、そのピストンの往復移動により両端の口にそれぞれ接続したパイプ２１，２２に流体を流出入させる。この流体シリンダ２０のピストン軸２４は、軸部１３に結合したプーリ２５に巻付いたワイヤ２６と、中間プーリ２７，２８を介して接続され、このため軸部１３の回転により、移動させられる。なお、中間プーリ２７，２８は、ワイヤ２６の張力調節のため、その位置が調節可能となっている。弁２３は、パイプ２１，２２を接続し、開閉調節することにより流体の流れに対する抵抗を調節し、これにより軸部１３の回転力すなわち使用者１２のトレーニングの負荷の大きさを加減することができる。
【００１５】
このトレーニング装置１０は、以上の構成であるから、使用者１２は、基部１１上に乗り、バー１７を持って、実際にゴルフのスイング等を行う姿勢をとって、上体を捻転させ、トレーニングを行うことができる。
【図面の簡単な説明】
【００１６】
【図１】本発明の実施例の斜視図である。
【図２】同例の基部の底面図である。
【符号の説明】
【００１７】
１０    上体捻転運動のトレーニング装置
１１    基部
１２    使用者
１３    軸部
１４    軸受け部
１５    可変向継手
１６    伸縮継手
１７    バー
１８    バー回転軸
１９    負荷装置
２０    流体シリンダ
２１    パイプ
２２    パイプ
２３    弁
２４    ピストン軸
２５    プーリ
２６    ワイヤ
２７    中間プーリ
２８    中間プーリ
【図１】
2007075509.tif 000003
【図２】
2007075509.tif 000004